(57)【特許請求の範囲】
【請求項１】
開口が形成された筐体と、前記開口の一縁を回動軸として開閉して該開口を開閉自在に覆う蓋とを備えた携帯機器において、
前記蓋が、
当該携帯機器の外形の一部を担う本体板部と、
前記本体板部の前記開口側の面から突出した状態に形成され該開口に嵌入する、Ｏリングが配置される外周を一周した溝が形成された嵌入突部とを有し、さらに、
前記溝に嵌め込まれ前記開口内壁面に接して該開口内への水の浸入を防止する防水用Ｏリングを備えたものであって、
前記嵌入突部が、少なくとも、前記回動軸とは反対側の部分において前記溝内に、該溝の開口から底にわたって一定の突出量で突出して形成され該溝の幅を、該溝の開口から底にわたって前記防水用Ｏリングの太さよりも狭めて該溝に配置された該防水用Ｏリングを幅方向に押圧する、該溝に沿って分散配置された複数の押圧リブを有し、
前記押圧リブが、前記溝を形成する両側の壁のうち少なくとも一方の壁から他方の壁に向かって突出するとともに、該一方の壁上を該溝の開口側から該溝の底側に向かって延びる、該他方の壁に向いている面が曲面である柱形状を有していることを特徴とする携帯機器。
【請求項２】
前記複数の押圧リブは、前記溝を形成する両側の壁から互いに向かって突出した一対の押圧リブが前記溝に沿って複数対分散配置されたものであることを特徴とする請求項１記載の携帯機器。
【請求項３】
前記蓋の前記嵌入突部が、
前記開口の前記一縁に対応する位置に、前記筐体の、前記一縁の内側に入り込んで該筐体に回動自在に係止されて前記回動軸を形成する回動軸用突起部と、
前記開口の、前記一縁の反対側に対応する他縁の内側に入り込んで該他縁に係止し、当該蓋を閉状態に維持する係止突起部とを有することを特徴とする請求項１又は２記載の携帯機器。
【請求項４】
前記開口が長円形の開口であって、前記嵌入突部が該開口に嵌入する長円形状に突出した形状を有し、
前記蓋が、前記嵌入突部の長軸の一端側に形成されて短軸に平行に延びる回動軸の回りに回動して開閉し、前記押圧リブが、少なくとも、該長軸の他端側に形成されていることを特徴とする請求項１から３のうちいずれか１項記載の携帯機器。
【請求項５】
前記筐体内部の、前記開口から覗く位置に、外部機器との電気的接続のためのコネクタを備えたことを特徴とする請求項１から４のうちいずれか１項記載の携帯機器。
【請求項６】
当該携帯機器が、無線通信機能を有する携帯電話機であることを特徴とする請求項１から５のうちいずれか１項記載の携帯機器。
【発明の詳細な説明】
【技術分野】
【０００１】
本発明は、開口が形成された筐体と、その開口の一縁を回動軸として開閉してその開口を開閉自在に覆う蓋とを備えた携帯機器に関する。
【背景技術】
【０００２】
近年、携帯電話機や携帯型のゲーム機器などの携帯機器が広く普及している。これらの携帯機器は益々高機能化されてきており、さらに近年では防水機能も求められてきている。
【０００３】
携帯機器、例えば携帯電話機には、例えば外部機器との接続用の開口が形成されており、そういった開口に、小型化を損うことなく如何にして高い防止性を付与するかが問題となる。
【０００４】
電池を装着するための開口に関し、例えば特許文献１には、電池パック収納部をＯリングと内カバーとで防水を行なうことが開示されており、また、特許文献２には電池蓋と防水パッキンとで電池ポケットの防水を行なうことが開示されている。
【特許文献１】特開２００４−５６１６４号公報
【特許文献２】特開平１１−２５９４０号公報
【発明の開示】
【発明が解決しようとする課題】
【０００５】
ここで、開口周りについて防水性を付与するのに重要なことは、小型化、軽量化を損うことなく、何度も開閉しても閉じたときには確実に防水性を発揮することである。
【０００６】
ここで、開口部に防水性を付与するには、その開口部を覆う蓋にパッキンあるいはＯリングを固定しそのパッキンあるいはＯリングを開口周縁または開口内壁に押し当てることが一般的に考えられるが、その場合に、そのパッキンやＯリングが捩れてしまわないように、大きな横向きの力を与えずにパッキンやＯリングを押し当てる必要がある。このためには、その開口を覆う蓋をその開口の真上から押し当てるのが最良であるが、蓋を本体に連結したまま蓋を開口の真上から押し当てる構造を実現しようとすると複雑な構造が必要となり、小型化の要請に反する結果となる。防水性が考慮されていない場合の、このような開口の蓋としては、その一辺が本体にヒンジ結合されてそのヒンジを中心に開閉する構造が一般に採用されており、小型化や構造の簡易化の観点からはその構造をそのまま採用することが好ましい。しかしながら、その場合、蓋を閉じるたびに、その蓋に取り付けたＯリング等の防水部材に、横向きの力が加わってそのＯリング等に捩れが生じ、この捩れによりその蓋を持ち上げる方向の力が生じて防水性能を低下させる原因となり、また蓋が少し開きぎみとなって外観上も不都合を生じるおそれがある。
【０００７】
本発明は、上記事情に鑑み、本体に対し扉状に開閉する蓋を備えた一般的な構造を踏襲しつつ防水部材の捻れを抑え確実な防水性能と良好な外観を実現する携帯機器を提供することを目的とする。
【課題を解決するための手段】
【０００８】
上記目的を達成する本発明の携帯機器は、開口が形成された筐体と、その開口の一縁を回動軸として開閉してその開口を開閉自在に覆う蓋とを備えた携帯機器において、
上記蓋が、
この携帯機器の外形の一部を担う本体板部と、
本体板部の上記開口側の面から突出した状態に形成されその開口に嵌入する、Ｏリングが配置される外周を一周した溝が形成された嵌入突部とを有し、さらに、
上記溝に嵌め込まれ上記開口内壁面に接して開口内への水の浸入を防止する防水用Ｏリングを備えたものであって、
上記嵌入突部が、少なくとも、上記回動軸とは反対側の部分において上記溝内に突出して形成されその溝の幅を狭めてその溝に配置されたＯリングを幅方向に押圧する、その溝に沿って分散配置された複数の押圧リブを有することを特徴とする。
【０００９】
本発明の携帯機器は、分散配置された上記の複数の押圧リブを備えてＯリングを幅方向に押圧する構造を採用したため、蓋の開閉時にＯリングに横向きの力が加わってもそのＯリングに捻れが生じることが防止され蓋の開閉を繰り返しても防水性能が維持されるとともに、蓋のそのＯリングの捻れによる浮きの発生が防止されて、外観上も良好となる。
【００１０】
本発明では、押圧リブを分散配置したことにより、蓋を閉めたときにＯリングが押されて変形する余地が溝内に十分残されており、例えばＯリングを嵌め込む溝の幅自体を狭めＯリングが変形するスペースが奪われた場合のような防水性能の低下は生じない。
【００１１】
ここで、本発明の携帯機器において、上記複数の押圧リブは、上記溝を形成する両側の壁から互いに向かって突出した一対の押圧リブが上記溝に沿って複数対分散配置されたものであることが好ましい。
【００１２】
Ｏリングを溝の一方のみから押すとその部分でＯリングが蛇行し不用意な圧がかかるおそれがあるが、Ｏリングを一対の押圧リブで溝の両側から押圧することにより、Ｏリングの蛇行が防止され、防水性能を一層高度に保つことができる。
【００１３】
また、本発明の携帯機器において、上記蓋の嵌入突部が、
上記開口の一縁に対応する位置に、上記筐体の、その一縁の内側に入り込んで筐体に回動自在に係止されて回動軸を形成する回動軸用突起部と、
上記開口の、その一縁の反対側に対応する他縁の内側に入り込んでその他縁に係止し、この蓋を閉状態に維持する係止突起部とを有することが好ましい。
【００１４】
開口を覆う蓋を本体筐体に完全に固定する代わりに、後述する実施形態に示すような構造も広く採用されている。
【００１５】
さらに、本発明の携帯機器において、上記開口が長円形の開口であって、上記嵌入突部が開口に嵌入する長円形状に突出した形状を有し、
上記蓋が、嵌入突部の長軸の一端側に形成されて短軸に平行に延びる回動軸の回りに回動して開閉し、上記押圧リブが、少なくとも、その長軸の他端側に形成されていてもよい。
【００１６】
Ｏリングの、蓋の開閉のヒンジ部から離れた部分に横向きの大きな力が働くため、本発明は、長円形の開口を塞ぐような場合に、特に有効である。
【００１７】
さらに、本発明の携帯機器は、上記筐体内部の、上記開口から覗く位置に、外部機器との電気的接続のためのコネクタを備えたものであってもよい。
【００１８】
本発明は、外部機器との接続用に設けられた筐体開口を塞ぐ構造として好適である。
【００１９】
さらに、本発明の携帯機器は、無線通信機能を有する携帯電話機であってもよい。
【００２０】
本発明は携帯電話機に好適に適用することができる。
【発明の効果】
【００２１】
以上の本発明によれば、蓋の開閉を繰り返してもＯリングの捻れが押えられ、確実な防水性能と良好な外観が維持される。
【発明を実施するための最良の形態】
【００２２】
以下、本発明の実施形態について説明する。
【００２３】
図１は、本発明の携帯機器の一実施形態である携帯電話機の外観を示す斜視図である。
【００２４】
この携帯電話機１は、本体ユニット１０と、表示ユニット２０とを有し、表示ユニット２０は本体ユニット１０に軸支されて開閉する構造となっている。
【００２５】
本体ユニット１０には、ユーザによる操作を受けて電話番号やその他様々な情報を入力するためのキー１１が多数配列されており、また、その下端部には、内部のマイクロホンに通じる送話口１２が設けられている。
【００２６】
また、表示ユニット２０にはその中央に画像表示用の表示画面２１が備えられており、その上部には、内部の発音体からの音を出力するための受話口２２が備えられている。
【００２７】
この携帯電話機１には、無線電話機能のほか、電子メールの送受信機能やその他の様々な機能が組み込まれているが、本実施形態はそれらの機能自体は主題ではなく、ここではそれらの詳細は割愛する。
【００２８】
図２は、本体ユニットをその背面側から見たときの斜視図である。
【００２９】
この本体ユニット１０の筐体１３の側面には、開口（図示せず）が形成されており、その開口を開閉自在に塞ぐ蓋１４が備えられている。
【００３０】
また、この本体ユニット１０には、開閉自在なリアカバー１５が備えられており、このリアカバー１５を開けた内部には電池パックが装填される電池室が設けられ、電池パックが装填されている。この携帯電話機１は、その装填された電池パックから電力供給を受けて動作する。
【００３１】
この携帯電話機１は、蓋１４の内部だけでなく、リアカバー１５の内部も水密構造となっており、またその他の部分も全て水密構造となっていて防水性能を有する携帯電話機であるが、以下では、本実施形態に特有な、蓋１４の構造について説明する。
【００３２】
図３は、蓋１４を内側から見て、Ｏリングを分解して示した斜視図、図４は、Ｏリングを嵌めてない状態の蓋の内側の部分拡大図である。
【００３３】
また、図５は、Ｏリングを嵌めた状態の蓋の六面図であり、（Ａ）は平面図、（Ｂ）は左側面図、（Ｃ）は右側面図、（Ｄ）は上面図、（Ｅ）は下面図、（Ｆ）は背面図である。
【００３４】
さらに、図６は、筐体の開口と、その開口を塞ぐときの蓋の動きを示した図である。
【００３５】
この蓋１４は、筐体１３に形成された開口１５（図６参照）をその開口１５の一縁（図６の下側の縁）を回動軸として開閉して開口１５を開閉自在に覆う蓋であって、本体板部１４１と嵌入突部１４２とを有する。
【００３６】
本体板部１４１は、この携帯電話機１の外形の一部を担うものである。
【００３７】
また、嵌入突部１４２は、本体板部１４１の、開口１５側の面（内側の面）１４１ａから突出した形状を有し、筐体１３に形成された開口１５に嵌入するものである。この嵌入突部１４２の側面には、その外周を一周する、Ｏリング配置用の溝１４２ａが形成されている。この溝１４２ａには、Ｏリング１７が嵌め込まれる。このＯリングは、図６に示すように、開口１５を形成する、筐体１３の壁面１３１に一周に渡って接触して、この開口１５からの水の侵入を防止する役割りを担っている。ここで、開口１５は、上下に長い長円形状を有しており、嵌入突部１４２も、その開口１５の形状に合わせ、上下に長い長円形状を有している。
【００３８】
ここで、この溝１４２ａの、図３の上側の部分には、その溝１４２ａの内側に突出してその溝１４２ａの幅を狭める複数の押圧リブ１４２ｂが形成されている。これら複数の押圧リブ１４２ｂは、溝１４２ａを形成する両側の壁から互いに向かって突出した一対の押圧リブ１４２ｂが溝１４２ａに沿って複数対（ここに示す例では３対）分散配置されたものである。
【００３９】
これらの押圧リブ１４２ｂは、この溝１４２ａに配置されたＯリング１７を幅方向に押圧し、この蓋１４の開閉時にＯリング１７に加わる横向きの力には、Ｏリング１７の捻れを防止する役割りを担っている。
【００４０】
さらに、この蓋１４の本体板部１４１の下側には、筐体１３内に挿入されてこの蓋１４が開いているときであっても筐体１３から容易には抜け落ちないようにするためのフラップ１４３を有し、またこの蓋１４の嵌入突部１４２の下端には回動軸用突起部１４４が形成されており、さらに、この嵌入突部１４２の上端、すなわち、嵌入突部１４２の長円形状の長軸の、回動軸用突起部１４４に対する反対側の位置には、係止突起部１４５が形成されている。溝１４１ａ内に突出した押圧リブ１４２ｂは、係止突起部１４５側に形成されている。
【００４１】
ここで、回動軸用突起部１４４は、図６に示すように、筐体１３の開口１５の内側に入り込んで筐体１３に回動自在に係止されて、この嵌合突部１４２の長円形状の短軸と平行な回動軸を形成するものである。
【００４２】
また、係止突起１４５は、これも図６に示すように、筐体１３の開口１５の内側に入り込んで筐体１３に係止され、蓋１４を閉状態に維持するためのものである。
【００４３】
この蓋１４で開口１５を閉じるときは、図６に示すように、回動軸用突起部１４４を筐体１３の開口１５の縁に係止させて蓋１４を図６に示す矢印の方向に回動させ、係止突起１４５を、開口１５の他方の縁に係止させる。このとき、Ｏリング１７の、蓋１４の動きが大きい、係止突起１４５側の部分で、筐体１３の開口を形成している内壁と摺れて、Ｏリング１７に、そのＯリング１７を捻る方向の力が働くが、上述したように、この部分には分散配置された押圧リブ１４２ｂが形成されているため、Ｏリングの捻れが防止される。また、このＯリング１７は、開口１５を形成している内壁に接して変形するが、押圧リブ１４２は、Ｏリング１７とほぼ点接触的に分散して接しているだけなので、そのＯリング１７が変形しても溝１４２ａの内部にその変形した部分が収容され、十分な防水性能が発揮することができる。またＯリング１７の捻れが防止されることから、蓋１４を閉じたときの、そのＯリング１７の捻れが元に戻ろうとすることによる蓋１４の浮き上がりが防止され、外観上も優れたものとなる。
【００４４】
この開口１３１の内側には、例えば、外部機器（図示せず）との接続用のコネクタ１８等が配置され、蓋１４を開けた状態で外部機器と接続され、その接続を外したときは蓋１４が閉じられて防水性が確保される。
【００４５】
尚、上記の実施形態では、Ｏリング１７を押圧する押圧リブ１４２ｂは、蓋１４の開閉時の動きの大きな一部分にのみ形成されているが、溝１４２ａに沿った、さらに広い範囲、例えばその溝１４２の全周に渡って分散配置されていてもよい。
【００４６】
また、押圧リブは、溝１４２ａを形成している両側の壁から互いに向かって突出するように対に形成されているが、水の侵入が防止できさえすればよく、必ずしも両壁に対に形成されている必要はない。
【図面の簡単な説明】
【００４７】
【図１】本発明の携帯機器の一実施形態である携帯電話機の外観を示す斜視図である。
【図２】本体ユニットをその背面側から見たときの斜視図である。
【図３】蓋を内側から見て、Ｏリングを分解して示した斜視図である。
【図４】Ｏリングを嵌めてない状態の蓋の内側の部分拡大図である。
【図５】Ｏリングを嵌めた状態の蓋の六面図である。
【図６】筐体の開口と、その開口を塞ぐときの蓋の動きを示した図である。
【符号の説明】
【００４８】
１    携帯電話機
１０    本体ユニット
１３    筐体
１４    蓋
１５    リアカバー
１７    Ｏリング
１８    コネクタ
２０    表示ユニット
１３１    壁面
１４１    本体板部
１４２    嵌入突部
１４２ａ    溝
１４２ｂ    押圧リブ
１４５    係止突起部
【図１】
0004924360.tif 000002
【図２】
0004924360.tif 000003
【図３】
0004924360.tif 000004
【図４】
0004924360.tif 000005
【図５】
0004924360.tif 000006
【図６】
0004924360.tif 000007